(57)【特許請求の範囲】
【請求項１】
蓋本体と、その上面に載置されるデザインプレートと、このデザインプレートを前記蓋本体に固定する固定具とを備えた地下構造物用蓋であって、前記デザインプレートは基板と表示層からなり、前記基板は前記表示層の外縁から外に突き出た突出部を少なくとも一部に有しており、前記固定具は前記突出部の上面のみを押圧する押圧部を備えるとともに、連結具により前記蓋本体に固定されていることを特徴とする地下構造物用蓋。
【請求項２】
前記デザインプレートの平面形状を円とするとともに、その周縁に突出部を全周に形成し、前記連結具は前記デザインプレートとは干渉しない位置に設けられた請求項１記載の地下構造物用蓋。
【請求項３】
前記押圧部を平面視円環状とするとともに、前記連結具は前記デザインプレートとは干渉しない位置に設けられた請求項１または２記載の地下構造物用蓋。
【請求項４】
前記連結具は前記蓋本体に開けた取付け孔を貫通して前記固定具を前記蓋本体に固定し、前記取付け孔を長孔状とした請求項１から３のいずれかに記載の地下構造物用蓋。
【請求項５】
前記連結具は前記固定具に開けた通孔を貫通して前記固定具を前記蓋本体に固定し、前記通孔を長孔状とした請求項１から４のいずれかに記載の地下構造物用蓋。
【請求項６】
前記蓋本体には、前記固定具が当該蓋本体に被さる部分にガス抜き孔を開け、前記固定具には前記ガス抜き孔からのガスを排気するための流路を形成した請求項１から５のいずれかに記載の地下構造物用蓋。
【請求項７】
前記突出部の上面部または前記押圧部の少なくとも一方を弾性材によって形成した請求項１から６のいずれかに記載の地下構造物用蓋。
【請求項８】
前記突出部の上面に凸部および／または凹部を設け、前記押圧部の下面にこれと係合する凹部および／または凸部を設けた請求項１から６のいずれかに記載の地下構造物用蓋。
【発明の詳細な説明】
【０００１】
【発明の属する技術分野】
本発明は、蓋本体の上に様々な図柄等を表示するデザインプレートを備える構成の地下構造物用蓋に関する。
【０００２】
なお、本願明細書でいう「地下構造物用蓋」とは、下水道における地下埋設物，地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【０００３】
【従来の技術】
地下構造物用蓋の蓋本体としては、その表面にたとえば設置地域の特色を象徴するような図柄などを形成したものが従来から広く使用されている。この蓋本体は、鋳鉄やレジンコンクリートまたはＦＲＰ等の素材で型製作により形成されるもので、蓋本体の表面の図柄を変更する場合には蓋本体自体を別のものと交換することになるが、蓋本体とは別体としたデザインプレートを準備しておき、必要に応じて所望のデザインプレートを蓋本体に固定するようにすれば、蓋本体は既設のままでその表面の図柄などを各種のものに変えて使うことができる。
【０００４】
一方、実開昭５７−１９３７４２号公報には、蓋本体に取り付ける銘板を取り替え可能としたマンホールの蓋が記載されている。これは、各種の表示のための文字を刻んだ銘板にネジを通して蓋本体に固定できるようにしたもので、ネジを外して他の銘板に取り替えることで表示を変更することができる。したがって、先の公報の手法を利用すれば、デザインプレートの蓋本体への固定についても、このデザインプレートを貫通するボルト等のネジを利用して蓋本体に着脱でき、蓋本体はそのままで各種の表示をすることができる。
【０００５】
【発明が解決しようとする課題】
しかしながらデザインプレートは、複雑な模様にも対応できるようにたとえば金属製の基板の上に合成樹脂による表示層を形成したものが一般的であるので、デザインプレートの表示層にボルトが貫通していると、表示層の機械的強度が弱いためボルトの締め付けの際に亀裂や凹みが発生してしまう。このため、表示層の表示図柄にひずみが発生したり、亀裂が大きくなって剥離等を招いたりする結果となり、表示図柄が適正に表示されず製品価値を下げてしまう。
【０００６】
このようにデザインプレートを蓋本体に固定するのにボルト等を使用することで対応できるものの、表示層の表面図柄の保全が図れないという問題がある。
【０００７】
本発明は、デザインプレートを損傷したり図柄を乱すことなく蓋本体に固定できるようにした地下構造物用蓋を提供することを目的とする。
【０００８】
【課題を解決するための手段】
本発明は、蓋本体と、その上面に載置されるデザインプレートと、このデザインプレートを前記蓋本体に固定する固定具とを備えた地下構造物用蓋であって、前記デザインプレートは基板と表示層からなり、前記基板は前記表示層の外縁から外に突き出た突出部を少なくとも一部に有しており、前記固定具は前記突出部の上面のみを押圧する押圧部を備えるとともに、連結具により前記蓋本体に固定されていることを特徴とする。
【０００９】
本発明では、押圧部はデザインプレートの基板の突出部の上面のみを押圧し、表示層の上面と接触することはないので、表示層の亀裂や凹みおよび剥離等を発生することがなく、表示層による表示を良好に保つことができる。
【００１０】
【発明の実施の形態】
本発明においては、前記デザインプレートの平面形状を円とするとともに、その周縁に突出部を全周に形成し、前記連結具は前記デザインプレートとは干渉しない位置に設けることができる。
【００１１】
この構成では、蓋本体に対してデザインプレートを任意の方向に取り付けることができ、方向性を有する表示図柄に対しても設置現場にて表示具合を適切に調整できる。
【００１２】
また、前記押圧部を平面視円環状とするとともに、前記連結具は前記デザインプレートとは干渉しない位置に設けてもよい。
【００１３】
この構成においても、蓋本体に対してデザインプレートを任意の方向に取り付けることができ、設置現場にて表示具合を適切に調整できる。
【００１４】
更に、前記連結具は前記蓋本体に開けた取付け孔を貫通して前記固定具を前記蓋本体に固定し、前記取付け孔を長孔状とすることもできる。
【００１５】
この構成では、固定具を長孔状の取付け孔の開口長さ分だけ自由度を持って蓋本体に取り付けることができ、取付け性が向上する。
【００１６】
そして更に、前記連結具は前記固定具に開けた通孔を貫通して前記固定具を前記蓋本体に固定し、前記通孔を長孔状とすることもできる。
【００１７】
この構成においても、固定具を長孔状の通孔の開口長さ分だけ自由度を持って蓋本体に取り付けることができる。
【００１８】
また、前記蓋本体には、前記固定具が当該蓋本体に被さる部分にガス抜き孔を開け、前記固定具には前記ガス抜き孔からのガスを排気するための流路を形成することもできる。
【００１９】
この構成では、ガス抜き孔が固定具によって覆われるので、土砂の詰まり等が防止され地下構造物内のガスの放出が確実に行なえるとともに、ガス抜き孔が見えないので外観も向上する。
【００２０】
更に、前記突出部の上面部または前記押圧部の下面の少なくとも一方を弾性材によって形成してもよい。
【００２１】
この構成では、デザインプレートが回転する力が加わった場合においても、弾性材による摩擦力によりデザインプレートの回転を防止できるので、蓋本体に対する表示層上面の表示図柄を適正な方向に維持でき、表示機能を損ねることがない。
【００２２】
また、前記突出部の上面に凸部および／または凹部を設け、前記押圧部の下面にこれと係合する凹部および／または凸部を設けてもよい。
【００２３】
この構成でも、蓋本体に対する表示層上面の表示図柄を適正な方向に維持でき、表示機能を十分に果たすことができる。
【００２６】
【実施例】
以下、本発明の実施例を図面に基づいて説明する。
【００２７】
図１は本発明の一実施例における地下構造物用蓋を示す一部切欠平面図、図２の（ａ）は図１のＡ−Ａ線矢視による蓋本体のみの断面図、図２の（ｂ）は要部の拡大断面図である。
【００２８】
図において、地下構造物用蓋の蓋本体１は従来周知のように受枠（図示せず）にテーパ嵌合可能としたもので、その上面に一様な深さの円形の凹部１ａを形成している。この凹部１ａの外周縁部分には一定のピッチで取付け孔１ｂを開けている。凹部１ａの中にはデザインプレート２（図柄は省略）が配置されるとともに、このデザインプレート２を固定するための固定具３が組み込まれ、固定具３は後述する連結具としてのボルト４・ナット５によって着脱自在に固定され、この固定状態において前記デザインプレート２と前記固定具３と前記蓋本体１の上面は面一となっている。
【００２９】
図３は固定具３の詳細であって、（ａ）は平面図、（ｂ）は要部の縦断面図である。
【００３０】
固定具３は金属板をプレス成形により平面視円環状に形成したもので、内周側および外周側を下に屈曲させ、それぞれ押圧部３ａ，着座部３ｂを形成した縦断面形状を持ち、一定のピッチでボルト４を通すためのテーパ状の通孔３ｃを開けている。
【００３１】
図４は固定具３によるデザインプレート２の取付け状態を示す詳細図であって、（ａ）は縦断面図、（ｂ）は要部の拡大縦断面図である。
【００３２】
デザインプレート２は基板２ａとその上に積層した表示層２ｂとから構成され、平面形状を円としている。また、基板２ａは表示層２ｂの外縁から突き出た突出部２ａ−１を有している。基板２ａは、金属板，プラスチック板，ゴム板，木質板等を素材とする。また、表示層２ｂは下から順に基板２ａに接着するための接着層，図柄を表示するデザイン層，このデザイン層の表面を覆う保護層の積層体である。接着層は接着性を持つ合成樹脂であり、ウレタン樹脂，アクリル樹脂，ウレタンアクリレート樹脂，エポキシ樹脂，ビニルエステル樹脂，不飽和ポリエステル樹脂等である。また、デザイン層は、紙や織布等の繊維性材料またはプラスチックフィルムシート等を利用したものである。更に、保護層は、耐摩耗性を持つ透明な合成樹脂であり、ウレタン樹脂，アクリル樹脂，ウレタンアクリレート樹脂，エポキシ樹脂，ビニルエステル樹脂，不飽和ポリエステル樹脂，メラミン樹脂，フェノール樹脂等を素材とする。なお、保護層にはスリップ防止のためにガラスビーズ，プラスチック，ゴム，砂等の粒状物を添加してもよい。
【００３３】
図４に示すように、デザインプレート２の基板２ａの外径は表示層２ｂの外径よりも大きい。そして、固定具３の幅は凹部１ａの内周壁１ａ−１と表示層２ｂの外縁の間に挟み込まれる程度とするが、好ましくは押圧部３ａは表示層２ｂに当接した方がデザインプレート２にずれが生じずしっかり固定できる。この固定具３は、デザインプレート２を凹部１ａの所定の位置に載せた後、通孔３ｃを蓋本体１の取付け孔１ｂに合わせて被せる。このとき、押圧部３ａ，着座部３ｂの下端は図４の（ｂ）に示すように突出部２ａ−１および凹部１ａのそれぞれの上面に接し、この状態でボルト４を通孔３ｃから取付け孔１ｂに通し、蓋本体１の下面側からボルト４にナット５を螺合することで固定具３は蓋本体１に連結される。
【００３４】
以上の構成において、蓋本体１の凹部１ａに載せたデザインプレート２は、図４に示すように固定具３を介してボルト４とナット５によって蓋本体１に連結される。すなわち、固定具３の押圧部３ａ下面がデザインプレート２の突出部２ａ−１上面と接し、ボルト４とナット５による締め付けにより、押圧部３ａがデザインプレート２の突出部２ａ−１を押圧して固定する。このような固定では、様々な図柄が形成された表示層２ｂ上面に固定具３が接触することはなくしかも連結のためのボルト等が貫通しないので、表示層２ｂに亀裂や凹みおよび歪み等を生じることがなく、図柄をそのままの形態で表示することができる。
【００３５】
ここで、蓋本体１に設ける取付け孔１ｂは円に変えて図１において部分的に拡大して一点鎖線で示すように、凹部１ａの内周壁１ａ−１に沿う形状の長円状としてもよい。このように取付け孔１ｂを長孔とすることにより、固定具３の通孔３ｃと取付け孔１ｂの位置合わせが容易になり、取付け性が向上し、さらに固定具３の取付け方向を設置現場にて微調整することが可能となる。また、固定具３の通孔３ｃを凹部１ｂの内周壁１ａ−１に沿う形状の長円状としても同様の効果が得られる。
【００３６】
更に、地下構造物用蓋の蓋本体１には地下構造物からの空気やガスを抜くためのガス抜き孔を設けることがある。本発明では、図１に示すように、ガス抜き孔１ｃを固定具３が被さる位置に設けるものとし、このガス抜き孔１ｃからのガスまたは空気を外に放出させるために図４の（ｂ）に示すように固定具３の着座部３ｂには部分的に複数の切欠３ｂ−１を流路として設ける。このように、ガス抜き孔１ｃの上に固定具３が被さるように配置することで、外部から見えなくなり、いたずらによって土砂を詰められたり、流入土砂による詰まりがなくなる。したがって、ガス抜き孔１ｃを常に開放させておくことができ、地下構造物内のガスの排気が速やかに行なえる。また、このようにガス抜き孔１ｃが外部から見えなくなることで、通行中にハイヒールのかかと等が嵌まり込むのを防ぎ、安全である。なお、ガス抜き孔１ｃは、雨水流入孔としても作用する。
【００３７】
図５は固定具の他の実施例を示す要部の縦断面図であり、先の例と同じ構成部材については共通の符号で指示しその詳細な説明は省略する。
【００３８】
図５の例では、固定具６は金属の環状体であり、押圧部６ａと着座部６ｂとを形成した階段状の断面形状を持つ。このような固定具６であっても、ボルト４とナット５によって固定具６は蓋本体１に固定されるとともに、押圧部６ａが突出部２ａ−１のみを押圧し、表示層２ｂ上面には接触しない構造とすることができる。
【００３９】
このように固定具の断面形状は、凹部１ａと突出部２ａ−１の上に被さる断面形状のものであればよく任意の形状とすることができる。また、固定具によるデザインプレート２の固定において、デザインプレート２が回ってしまうことがないように滑り止め機構を備えるようにしてもよく、その例を図６から図８の分解斜視図に示す。
【００４０】
図６の例はほぼＬ字状断面の固定具７の押圧部７ａを弾性材としてのゴムにより形成したものである。固定具７は押圧部７ａがデザインプレートの突出部２ａ−１の上に強く押し付けられた状態で蓋本体１に固定されるので、ゴムの摩擦力によってデザインプレート１の回転を防止できる。したがって、蓋本体１に対してデザインプレート２を常に正規の位置に保持することができる。
【００４１】
図７の例は図６の場合と同様にほぼＬ字状断面とした固定具８の押圧部８ａ下面に一定のピッチで円錐状の凸部８ａ−１を設け、デザインプレート２の突出部２ａ−１の上面に凸部８ａ−１が嵌まり込む凹部２ａ−２を形成したものである。固定具８をその凸部８ａ−１が凹部２ａ−２に嵌まり込むように凹部１ａと突出部２ａ−１の上に被せることにより、凸部８ａ−１と凹部２ａ−２の係合によってデザインプレート２の回転が防止される。
【００４２】
図８の例は固定具９の押圧部９ａ下面を条溝９ｂとし、基板２ａの突出部２ａ−１上面に条溝９ｂと噛合する条溝２ａ−３を形成したものである。ここで固定具９を凹部１ａおよび突出部２ａ−１の上に被せるように配置すると、押圧部９ａ下面の条溝９ｂと突出部２ａ−１上面の条溝２ａ−３が互いに噛み合うようになり、固定具９はデザインプレート２の回転を防止する。したがって、先の例と同様に、デザインプレート２を回してしまうような外力が作用しても、このデザインプレート２を蓋本体１に対して正規の取付け状態を維持できる。
【００４３】
なお、以上の実施例では固定具を円環状としているが、突出部の一部を押圧するような部分円弧状とし、これらを複数個組み合わせて配置してデザインプレートを固定する構成としてもよいし、突出部もデザインプレートの全周ではなく一部のみに設けるようにしてもよい。また、デザインプレートは円盤状の基板上面に表示層を積層する構成としたが、このほか基板を円環状、棒状、チップ状として表示層全周または一部に埋め込んだものとしてもよい。更に、押圧部は固定具と一体に形成したが、それぞれ別体として形成してもよい。更にまた、連結具としてボルトとナットを使用したが、ナットの代わりに蓋本体や固定具に雌ネジを切ってもよいし、ボルトとナットを使わずピンのようなものとしてもよい。もちろん、デザインプレートや蓋本体上面の凹部は、三角形や四角形等としてもよく、組み合わせもデザインプレートを円形、蓋本体上面の凹部を四角形というように一致していなくてもよいが、固定具の外縁の形状は、蓋本体上面の凹部の内周壁に沿った形状とする方が好ましい。
【００４４】
【発明の効果】
本発明では、蓋本体の上に載せたデザインプレートはその基板の突出部の上面のみを固定具の押圧部によって押圧されるので、固定具で強く突出部を締め付け固定しても、表示層に亀裂や凹みや剥離等が発生することがなく、良好な表示を維持することができる。
【図面の簡単な説明】
【図１】本発明の一実施例における地下構造物用蓋の一部切欠平面図である。
【図２】（ａ）は図１のＡ−Ａ線矢視による蓋本体のみの断面図、（ｂ）は要部の縦断面図である。
【図３】（ａ）は固定具の平面図、（ｂ）は固定具の要部縦断面図である。
【図４】（ａ）は固定具によるデザインプレートの取付け状態を示す縦断面図、（ｂ）は固定具によるデザインプレートの取付け状態を示す要部拡大縦断面図である。
【図５】固定具の他の実施例によるデザインプレートの取付け状態を示す要部の縦断面図である。
【図６】押圧部をゴムにより形成した例を示す要部の分解斜視図である。
【図７】押圧部下面に凸部を設け、デザインプレートの突出部の上面にこの凸部が嵌まり込む凹部を形成した例を示す要部の分解斜視図である。
【図８】押圧部下面を条溝とし、基板の突出部上面にこの条溝と噛合する条溝を形成した例を示す要部の分解斜視図である。
【符号の説明】
１  蓋本体
１ａ  凹部
１ａ−１  内周壁
１ｂ  取付け孔
１ｃ  ガス抜き孔
２  デザインプレート
２ａ  基板
２ａ−１  突出部
２ａ−２  凹部
２ａ−３  条溝
２ｂ  表示層
３  固定具
３ａ  押圧部
３ｂ  着座部
３ｂ−１  切欠（流路）
３ｃ  通孔
４  ボルト（連結具）
５  ナット（連結具）
６  固定具
６ａ  押圧部
６ｂ  着座部
７  固定具
７ａ  押圧部
８  固定具
８ａ  押圧部
８ａ−１  凸部
９  固定具
９ａ  押圧部
９ｂ  条溝
【図１】
0003587764.tif 000002
【図２】
0003587764.tif 000003
【図３】
0003587764.tif 000004
【図４】
0003587764.tif 000005
【図５】
0003587764.tif 000006
【図６】
0003587764.tif 000007
【図７】
0003587764.tif 000008
【図８】
0003587764.tif 000009